(57)【要約】【課題】装置本体あるいはリモコン装置による録画予約の困難な条件下で情報の記録開始および記録終了を設定可能な情報記録再生装置を提供する。【解決手段】携帯端末２０１からの録画条件が含まれているメールＭをサーバ２９９から取得して、記録再生装置１に予約登録することができ、装置本体あるいはリモコン装置による録画予約の困難な条件下で情報記録再生装置による情報の記録開始および記録終了が設定可能となる。【選択図】          図２
2004186720.tif 000002
【特許請求の範囲】
【請求項１】
情報を記録し、または再生する記録再生装置において、
録画内容が記載された録画予約メールを外部から取り込み可能な手段と、
前記取り込み可能な手段により取得した録画内容に応じて録画予約を登録する手段と、
を具備することを特徴とする情報記録再生装置。
【請求項２】
前記取り込み可能な手段は、前記録画予約メールを、ネットワーク網を介して取り込むことを特徴とする請求項１記載の情報記録再生装置。
【請求項３】
前記取り込み可能な手段により取り込まれた前記録画予約メールの内容を外部に報知可能な報知機構をさらに有することを特徴とする請求項１または２記載の情報記録再生装置。
【請求項４】
記録媒体に情報を記録し、記録媒体から既に記録されている情報を再生可能な情報記録再生部と、
この情報記録再生部を予め決められた動作開始時刻に動作させるとともに予め決められた動作終了時刻に停止させるタイマー部と、
このタイマー部の動作情報を保持可能なメモリ部と、
前記タイマー部に、外部から、少なくとも動作開始時刻と動作終了時刻を入力設定可能な通信制御部と、
この通信制御部を介して取得した前記少なくとも動作開始時刻と動作終了時刻とを含む録画予約を、前記メモリ部に登録する手段と、
を具備することを特徴とする情報記録再生装置。
【請求項５】
前記通信制御部は、外部からメール形態で供給される指示を受け取って、前記タイマー部の動作開始時刻と動作終了時刻に対応する情報を取得可能であることを特徴とする請求項４記載の情報記録再生装置。
【請求項６】
前記通信制御部により取り込まれた前記メールの内容を外部に報知可能な報知機構をさらに有することを特徴とする請求項５記載の情報記録再生装置。
【請求項７】
前記通信制御部は、ネットワーク網を介して前記メールを取り込むことを特徴とする請求項５または６記載の情報記録再生装置。
【請求項８】
外部から、メールを受信し、
受信したメールが、少なくとも動作開始時刻と動作終了時刻とを含む録画制御情報であるか否かを判断し、
録画制御情報を含むメールであると判断されたメールに含まれる動作開始時刻と動作終了時刻に録画予約可能な否かを判断し、
録画予約可能なメールに関し、その録画制御情報に基づいて、情報記録再生部を予め決められた動作開始時刻に動作させるとともに予め決められた動作終了時刻に停止させるタイマー部を制御する情報としてメモリ部に記憶する、
ことを特徴とする情報記録再生装置の制御方法。
【請求項９】
受信したメールに含まれる録画制御情報に対応する録画予約ができない場合には、予約ができないことを返信することを特徴とする請求項８記載の情報記録再生装置の制御方法。
【発明の詳細な説明】
【０００１】
【発明の属する技術分野】
本発明は、情報の記録および再生が可能な情報記録再生装置に係り、特に情報の記録開始および記録終了を、外部から設定可能な情報記録再生装置に関する。
【０００２】
【従来の技術】
例えば画像情報等のビデオデータおよび制御情報が記録されている記録媒体を再生または記録する情報記録再生装置では、録画開始日時／録画終了日時、録画ソース、記録レートおよび記録方式（音声記録形式／サイマルキャストの有無）等（以下、録画予約と略称する）が、装置本体または付属するリモコン装置から設定されることで、録画予約された日時に、所定の記録レートおよび記録方式により、希望（設定）した録画ソースが記録される。
【０００３】
なお、今日、録画予約に用いられるデータのうち録画（放送）開始日時／録画（放送）終了日時および録画ソース等に代表される配信側から配信される固有のデータについては、例えばＧコードと呼ばれる録画予約コードを入力することにより、上述した装置本体またはリモコン装置から入力すべき情報の量を低減可能な情報記録再生装置も実用化されている。
【０００４】
また、延長設定部８を有し、録画中の番組の放送時間が延長されて終了時刻が変更になった場合や、録画開始前に終了時刻が誤って入力されていることに気づいた場合等において、延長設定部８を１回操作する毎に、１５分単位で録画終了時刻を延長できるリモコン装置が、既に提案されている（例えば、特許文献１参照）。
【０００５】
【特許文献１】
特開平８−３０６０９７号公報（段落［００１５］〜［００１６］、図１、要約）
【０００６】
【発明が解決しようとする課題】
しかしながら、録画予約後、情報記録再生装置から離れた位置から戻れない、あるいは外出等の理由により、既に入力した録画予約情報を変更しなければならない場合または新たな録画予約を追加する必要が生じた場合等においては、予約情報の変更または追加ができない問題がある。
【０００７】
この発明の目的は、上述した問題点を解決するもので、装置本体あるいはリモコン装置による録画予約の困難な条件下で情報の記録開始および記録終了を設定可能な情報記録再生装置を提供することである。
【０００８】
【課題を解決するための手段】
本発明は、情報を記録し、または再生する記録再生装置において、録画内容が記載された録画予約メールを外部から取り込み可能な手段と、前記取り込み可能な手段により取得した録画内容に応じて録画予約を登録する手段と、を具備することを特徴とする情報記録再生装置である。
【０００９】
また本発明は、記録媒体に情報を記録し、記録媒体から既に記録されている情報を再生可能な情報記録再生部と、この情報記録再生部を予め決められた動作開始時刻に動作させるとともに予め決められた動作終了時刻に停止させるタイマー部と、このタイマー部の動作情報を保持可能なメモリ部と、前記タイマー部に、外部から、少なくとも動作開始時刻と動作終了時刻を入力設定可能な通信制御部と、この通信制御部を介して取得した前記少なくとも動作開始時刻と動作終了時刻とを含む録画予約を、前記メモリ部に登録する手段と、を具備することを特徴とする情報記録再生装置である。
【００１０】
さらに本発明は、外部から、メールを受信し、受信したメールが、少なくとも動作開始時刻と動作終了時刻とを含む録画制御情報であるか否かを判断し、録画制御情報を含むメールであると判断されたメールに含まれる動作開始時刻と動作終了時刻に録画予約可能な否かを判断し、録画予約可能なメールに関し、その録画制御情報に基づいて、情報記録再生部を予め決められた動作開始時刻に動作させるとともに予め決められた動作終了時刻に停止させるタイマー部を制御する情報としてメモリ部に記憶する、ことを特徴とする情報記録再生装置の制御方法である。
【００１１】
【発明の実施の形態】
以下、図面を参照してこの発明の情報記録再生装置を詳細に説明する。
【００１２】
図１に示す記録再生装置１は、入力情報を所定の記録媒体に記録し、再生供給に応じて既に記録されている情報を再生可能な情報記録再生部１１１、情報記録再生部１１１への記録および情報記録再生部１１１からの再生および以下に説明する各部の動作を制御するマイクロコンピュータ（ＭＰＵすなわち主制御装置）１０１を有する。
【００１３】
情報記録再生部１１１は、例えばＤＶＤ（Ｄｅｇｉｔａｌ  Ｖｅｒｓａｔｉｌｅ  Ｄｉｓｋ）規格に準拠し、対応する規格で製造されたディスクＤに、情報の記録および再生が可能なディスクドライブユニット１１３、およびディスクドライブユニット１１３にセットされたディスクＤに記録されるデータあるいはディスクＤから再生されたデータの一定量を一時的に保持可能なバッファリングメモリとして機能する一時記録部１１５を含む。なお、一時記録部１１５は、具体的には、記録途中でディスクの残り記録容量を使い切ってしまった場合において、ディスクＤが記録容量の残っているディスクに交換されるまでの間、記録対象である情報を、一時記憶しておくことに利用できる。また、ディスクドライブユニット１１３に加えて、例えば大容量の情報の記録および検索（再生）に適したハードディスクドライブＨＤＤが併設されてもよい。
【００１４】
情報記録再生部１１１には、入力された情報を情報記録再生部１１１が記録可能にエンコードするエンコーダ１２１、情報記録再生部１１１から出力された情報を、以下に説明する出力装置が表示可能にデコードするデコーダ１３１が接続されている。
【００１５】
エンコーダ１２１には、記録対象である情報が外部から入力可能なＡＶ入力部１２３、および例えば放送事業者等に代表される情報配信者から配信される映像および音声が受信可能なチューナ部１２５が接続されている。
【００１６】
デコーダ１３１には、（デコーダ１３１により）デコードされた再生情報を、再生装置（テレビ）あるいはモニタ装置に代表される出力装置に供給するＡＶ出力部１３３が接続されている。
【００１７】
ＭＰＵ１０１にはまた、録画（放送）開始日時／録画（放送）終了日時、録画ソース、記録レートおよび記録方式（音声記録形式）等（以下、録画予約と略称する）の録画予約情報が、記録再生装置１本体もしくは付属する図示しないリモコン装置から入力可能なタイマーマイコン部１４１が接続されている。
【００１８】
なお、タイマーマイコン部１４１には、記録再生装置１の動作の管理に利用される時刻を管理するタイマー回路（時計ユニット）１４３と、ユーザからの操作要求（指示）を受け付けるユーザ操作入力部１４５が接続されている。
【００１９】
ＭＰＵ１０１にはまた、タイマーマイコン部１４１に入力された情報あるいは装置１本体の動作状態が表示される表示部１５１、ネットワーク網ＮＴを介して外部からの録画予約等の入力や指定された返信先に録画予約の可否を報知可能な通信制御部１０３および録画予約された情報等が保持可能なメモリ１０５が接続されている。なお、通信制御部１０３には、後段に説明するが、ネットワーク網ＮＴにおいて広く利用されているブラウザソフト（ネットワーク網内で情報の検索や閲覧が可能な応用ソフトウェア）および所定の条件下で外部にメールを送信可能な図示しないダイヤラー等が予め用意されている。
【００２０】
ＭＰＵ１０１は、メモリ１０５に記憶されている制御プログラムに従い、ディスクＤへの記録制御、コピー制御、削除制御、ユーザ操作入力部１４５を介してタイマーマイコン部１４１へ入力された記録再生装置の動作の変更、表示部１５１を用いたユーザへの表示等を制御する。
【００２１】
タイマーマイコン部１４１は、タイマー回路（時計ユニット）１４３をモニタしながら、ユーザにより設定された録画予約情報を管理し、録画予約開始時刻に達した時点でＭＰＵ１０１に記録開始、および録画予約終了時刻に達した時点でＭＰＵ１０１に記録終了を指示する。
【００２２】
ユーザ操作入力部１４５は、ユーザからの操作要求、例えば、記録再生装置の動作の変更や録画予約情報の受け付け等が可能で、図示しないがリモコン（リモートコントロール端末）からの制御信号を受け入れるデータ受信部、装置１本体の図示しない操作パネルによるユーザからの直接入力指示に対応して制御信号をタイマーマイコン部１４１へ出力可能な図示しない制御信号入力部を含む。
【００２３】
図２は、図１に示した情報記録再生装置への外部からの録画予約の一例を説明する概略図である。
【００２４】
図２に示したように、例えばパーソナルコンピュータＰＣや携帯電話ＣＰ等の既存の通信可能機器（携帯端末）２０１により、ユーザから録画予約情報を含むＥ−メール（以下単にメールと呼称する）Ｍが、メールサーバ（ネットワーク網向け商用通信制御装置）２９９に送信される。記録再生装置１は、メールサーバ２９９から受信したメール本文中に、特定の符号列が含まれるか否か認識して、特定の文字列が含まれている場合は、その文字列を予約情報と判断して記録再生装置１に録画予約を設定する。
【００２５】
図３は、図２を用いて説明したメールによる録画予約の取り込みおよび録画の予約登録手順の一例を示すフローチャートである。
【００２６】
始めに、情報記録再生装置１の通信制御装置１０３を介して、予め指定されているメールサーバの所定のメールボックスに、メールＭが着信しているか否かがチェックされる（Ｓ１）。
【００２７】
メールＭが着信していることがチェックされると（Ｓ１−Ｙｅｓ）、着信しているメールの総数としてメモリ１０５内に「メール数＝ｎ」がセットされる（Ｓ２）。
【００２８】
次に、「ｎ」番めのメールの取り込むための取り込み（受信）要求が送信され（Ｓ３）、メールボックスから「ｎ」番めのメールが受信される（Ｓ４）。
【００２９】
以下、受信されたメールが録画予約メールか否かが判断され（Ｓ５）、メールが録画予約メールである場合には（Ｓ５−Ｙｅｓ）、例えば既に録画予約が上限に達している等の録画予約受け付け付加状態か否かが判断され（Ｓ６）、新たな録画予約が不可能である場合には（Ｓ６−Ｙｅｓ）、メール予約ができなかったことを伝えるメールが返信される（Ｓ７）。
【００３０】
ステップＳ６において、録画予約が可能である場合には（Ｓ６−Ｎｏ）、そのメール内容に従って、メモリ１０５の録画予約情報テーブルに、録画予約が追加登録される（Ｓ８）。
【００３１】
続いて、「ｎ」番めのメールの削除がメールボックスに返信され、さらに『ｎ番めのメールに対する録画予約の終了（受け付け完了）』を示すメールがメールボックスに送信される」（Ｓ９）。同時にまたは所定のタイミングで、メモリ１０５内のメール数が「ｎ＝ｎ−１」に書き換えられる（Ｓ１０）。
【００３２】
以下、メモリ１０５内のｎ−１＞０が判断され（Ｓ１１）、ｎ−１＞０である場合には（Ｓ１１−Ｙｅｓ）、ステップＳ３〜Ｓ９が繰り返され、残りのメールの取り込み、予約メールか否かの判断、予約メールである場合の予約登録が「ｎ−１＝０」になるまで繰り返される。
【００３３】
図４は、受信したメールが録画予約メールであるか否かの識別の例を説明するフローチャートである。
【００３４】
受信したメールに、例えば「ｏｐｅｎ」の文字列から始まる１行の文字列がある場合、予約メールと判断する（Ｓ１０１）。
【００３５】
例えば「ｏｐｅｎ，ｐａｓｓ（ｎａｍｅ），１９９９１２３１，２２００，２３５９，８，Ｓ，Ａ」と記述されたメールＭが着信した場合、「ｏｐｅｎ」は録画予約メールを示し、「ｐａｓｓ」はパスワードまたは予め登録されているユーザ名、「１９９９１２３１」は１９９９年１２月３１日、「２２００，２３５９」は２２時００分開始で２３時５９分終了、「８，Ｓ，Ａ」は録画ソースとしてチャンネル番号８番、記録レートとして画質ＳＰ（標準記録モード）、音質ＤＤ１（ドルビーデジタル１）と、解釈される。
【００３６】
なお、８桁の数字により定義される情報として、Ｇコードと呼ばれる録画予約コードである可能性もあるので、上述した「ｐａｓｓ（ｎａｍｅ）」に続く数字例が録画予約コードか否かが判断される（Ｓ１０２）。
【００３７】
数字列が録画予約コードであれば、少なくとも先頭から４桁は西暦に対応する数字以外の組み合わせであるから、録画予約コードであることが判断できる（Ｓ１０２−Ｙｅｓ）。この場合、録画開始日時と終了時間およびチャンネル番号（録画予約コードに関しては、録画ソースは選択する必要がない）が得られるので、続いて、記録レートが取み取られ（Ｓ１０３）、メモリ１０５の録画予約情報テーブルに追加登録される（Ｓ１０４）。
【００３８】
数字列が録画予約コードではない場合（Ｓ１０２−Ｎｏ）、メールＭから録画予約に必要な録画開始日時、録画終了時間、録画ソースおよび記録レートが取み取られ、メモリ１０５の録画予約情報テーブルに追加登録される（Ｓ１０４）。
【００３９】
以上説明したように、録画条件が含まれている録画予約メールを取得することにより、装置本体あるいはリモコン装置による録画予約の困難な条件下で情報の記録開始および記録終了が設定可能となる。
【００４０】
なお、この発明は、上記各実施の形態に限定されるものではなく、その実施の段階ではその要旨を逸脱しない範囲で種々な変形・変更が可能である。また、各実施の形態は、可能な限り適宜組み合わせて実施されてもよく、その場合、組み合わせによる効果が得られる。
【００４１】
【発明の効果】
以上説明したようにこの発明によれば、Ｅ−メールによって、装置本体あるいはリモコン装置による録画予約が困難な条件下においても、随時録画予約が可能となる。
【００４２】
従って、装置本体あるいはリモコン装置による録画予約の困難な条件下で情報の記録開始および記録終了を設定可能となり、外出時や録画予約忘れ等により、情報が記録できなくなることが防止できる。
【図面の簡単な説明】
【図１】この発明の実施の形態が適用可能な記録再生装置の一例を示す概略図。
【図２】図１に示した記録再生装置へのメールの着信及びメールサーバと携帯端末との間のメールの送受信例を説明する概略図。
【図３】Ｅ−メールによる録画予約の一例を説明するフローチャート。
【図４】Ｅ−メールから録画予約を予約登録する手順を説明するフローチャート。
【符号の説明】
１…記録再生装置、
１０１…主制御装置（ＭＰＵ）、
１０３…通信制御部、
１０５…メモリ、
１１１…情報記録再生部、
１１３…ディスクドライブユニット、
１１５…バッファメモリ（一時記録部）、
１２１…エンコーダ、
１２３…ＡＶ入力部、
１２５…チューナ部、
１３１…デコーダ、
１３３…ＡＶ出力部、
１４１…タイマーマイコン部、
１４３…タイマー回路（時計ユニット）、
１４５…ユーザ操作入力部、
１５１…表示部、
２０１…携帯端末、
２９９…メールサーバ（商用通信制御装置）。
【図１】
2004186720.tif 000003
【図２】
2004186720.tif 000004
【図３】
2004186720.tif 000005
【図４】
2004186720.tif 000006